(57)【特許請求の範囲】
【請求項１】
物体側から順に配置された、正の屈折力を有する第１レンズ群と、負の屈折力を有する第２レンズ群と、負の屈折力を有する第３レンズ群と、からなり、
前記第１レンズ群は最も物体側に少なくとも１枚以上の負メニスカスレンズを備え、
前記第３レンズ群は、物体側から順に配置された、正の屈折力を有するフロントサブレンズ群と、負の屈折力を有するリアサブレンズ群と、からなり、
前記フロントサブレンズ群と前記リアサブレンズ群との間には該第３レンズ群中で最も広い軸上空気間隔が形成され、
前記第３レンズ群の最も像側に負の屈折力を有する単レンズ成分を配置し、
所定の口径を規定する開口絞りを備え、
前記第１レンズ群および前記第３レンズ群を固定したまま、前記第１レンズ群と前記第２レンズ群との間隔が拡大し、前記第２レンズ群と前記第３レンズ群との間隔が縮小するように、前記第２レンズ群を光軸に沿って物体側から像側へ移動させることにより無限遠物体合焦状態から最至近距離物体合焦状態へ至るまでのフォーカシングを行い、
以下に示す条件式を満足することを特徴とするインナーフォーカス式レンズ。
（１）  −７．４６≦ｆ２／ｆ≦−２．１１
（５）  ０．２４≦Ｌ１ｓ／Ｌ≦０．６０
ただし、ｆ２は無限遠物体合焦状態における前記第２レンズ群の焦点距離、ｆは無限遠物体合焦状態における光学系全系の焦点距離、Ｌ１ｓは前記第１レンズ群の最物体側面から前記開口絞りまでの軸上距離、Ｌは光学系における、最物体側のレンズ面頂点から結像面までの軸上距離（光学系全長）を示す。
【請求項２】
以下に示す条件式を満足することを特徴とする請求項１に記載のインナーフォーカス式レンズ。
（２）  ０．２８≦ｆ１／ｆ≦１．３０
ただし、ｆ１は無限遠物体合焦状態における前記第１レンズ群の焦点距離を示す。
【請求項３】
以下に示す条件式を満足することを特徴とする請求項１または２に記載のインナーフォーカス式レンズ。
（３）  ０．５０≦βｉｎｆ／βｍｏｄ≦２．０２
ただし、βｉｎｆは無限遠物体合焦状態における前記第２レンズ群の近軸倍率、βｍｏｄは最至近距離物体合焦状態における前記第２レンズ群の近軸倍率を示す。
【請求項４】
以下に示す条件式を満足することを特徴とする請求項１〜３のいずれか一つに記載のインナーフォーカス式レンズ。
（４）  ０≦（Ｒ１＋Ｒ２）／（Ｒ１−Ｒ２）
ただし、Ｒ１は前記第３レンズ群の最も像側に配置された負の屈折力を有する単レンズ成分の物体側空気境界面の曲率半径、Ｒ２は前記第３レンズ群の最も像側に配置された負の屈折力を有する単レンズ成分の像側空気境界面の曲率半径を示す。
【請求項５】
前記第２レンズ群は負の屈折力を有する単レンズ成分で構成されていることを特徴とする請求項１〜４のいずれか一つに記載のインナーフォーカス式レンズ。
【請求項６】
以下に示す条件式を満足することを特徴とする請求項１〜５のいずれか一つに記載のインナーフォーカス式レンズ。
（６）  ｆ３／ｆ≦−２９．１
ただし、ｆ３は無限遠物体合焦状態における前記第３レンズ群の焦点距離を示す。
【請求項７】
前記第３レンズ群の最も像側に配置された負の屈折力を有する単レンズ成分は単一の硝材で形成され、
以下に示す条件式を満足する請求項１〜６のいずれか一つに記載のインナーフォーカス式レンズ。
（７）  ３０≦νｄｎ
ただし、νｄｎは前記第３レンズ群の最も像側に配置された負の屈折力を有する単レンズ成分のｄ線に対するアッベ数を示す。
【発明の詳細な説明】
【技術分野】
【０００１】
本発明は、小型で、高い結像性能を備えたインナーフォーカス式レンズに関する。
【背景技術】
【０００２】
従来、特に一眼レフレックスカメラ用レンズ等は、焦点距離に対して長いフランジバックを確保すべく、光学系後方に正レンズ群を配置してバックフォーカスの確保が容易になるような構成を採用しているものが多かった。しかし、近年、カメラボディーの小型化が進んだことや、デジタルカメラの普及により、長いフランジバックを確保する必要がない場合も増えてきている。
【０００３】
また、デジタルカメラでは、動画撮影も可能なことから、動画撮影に対応した高速なオートフォーカス処理が望まれる。オートフォーカスは、まず、一部のレンズ群（フォーカス群）を光軸方向へ高速で振動させて（ウォブリング）、非合焦状態→合焦状態→非合焦状態を作り出す。そして、撮像素子の出力信号から一部画像領域の特定の周波数帯の信号成分を検出して、合焦状態となるフォーカス群の最適位置を求め、その最適位置にフォーカス群を移動させる。特に、動画撮影では、これら一連の動作を高速で連続して繰り返すことが要求される。そして、ウォブリングを実行するためには、フォーカス群を高速に駆動することを可能にすべく、フォーカス群は極力口径を小さく、そして軽くすることが求められる。
【０００４】
また、光学系の最像側に正レンズ群を配置した場合、フォーカス群の屈折力をある程度強くしなくてはならないため、フォーカシングの際のウォブリングによる収差変動や変倍作用が生じやすくなる。フォーカシングの際のウォブリングによる収差変動や変倍作用を抑制するためには、光学系の最像側に負レンズ群を配置することがより好ましい。
【０００５】
かかる要求に応えるべく、動画撮影にも十分対応可能なインナーフォーカス式レンズが提案されている（たとえば、特許文献１を参照。）。
【先行技術文献】
【特許文献】
【０００６】
【特許文献１】特開２０１３−９７２１２号公報
【発明の概要】
【発明が解決しようとする課題】
【０００７】
特許文献１に開示されたインナーフォーカス式レンズは、物体側から順に、正の屈折力を有する第１レンズ群と、負の屈折力を有する第２レンズ群と、負の屈折力を有する第３レンズ群とを配置し、第２レンズ群を移動させてフォーカシングを行うものである。このインナーフォーカス式レンズは、３５ｍｍフィルムカメラ換算で中望遠の焦点距離をもち、内部に小型、軽量のフォーカス群を備えている。
【０００８】
ところで、従来、光学像を受光して電気的な画像信号に変換する撮像センサにおいては、オンチップマイクロレンズ等で入射光の効率的な取り込みをするための制限があり、レンズ側で射出瞳をある一定以上大きくして撮像センサへの入射光束のテレセントリック性を確保することが望まれていた。
【０００９】
しかしながら、近年の撮像センサでは開口率の向上やオンチップマイクロレンズの設計自由度が進み、撮影レンズ側に求められる射出瞳の制限も少なくなってきた。さらに、昨今のソフトウェアやカメラシステムの進歩、向上もあり、歪曲収差がある程度大きく従来では目立つものであっても画像処理により補正することも可能になってきている。
【００１０】
このため、従来の撮影レンズでは、光学系の最像側に正レンズ成分を配置して、テレセントリック性が確保されていたが、近年ではその必要がなくなってきており、光学系の最像側に負レンズ成分を配置して撮像センサに対する光束の斜入射があってもオンチップマイクロレンズとの瞳のミスマッチ等による周辺減光（シェーディング）が目立ちにくくなってきた。また、光学系の最像側に負レンズ成分を配置することが可能になったことで、光学系口径の小型化が期待できる。
【００１１】
これに対して、特許文献１に開示されたインナーフォーカス式レンズでは、光学系全長は短くなっているものの、光学系の最像側に正レンズ成分が配置されていることから、明るい光学系の実現のためには適しているが、第３レンズ群（最も像側のレンズ）の口径の小型化が不十分である。このため、近年広く普及しているミラーレス一眼カメラをはじめとする光学系の口径方向の小型化が進んだカメラには適用が難しい。
【００１２】
さらに、特許文献１に開示されたインナーフォーカス式レンズは、広角化を目的としたものではないため、広角化を図るうえで必要とされる、像面湾曲、歪曲収差の補正や周辺光量の確保といった点が考慮されていない。
【００１３】
本発明は、上述した従来技術による問題点を解消するため、小型、軽量のフォーカス群を備えるとともに、広角の焦点距離を有し、高い結像性能を備えた、小型のインナーフォーカス式レンズを提供することを目的とする。
【課題を解決するための手段】
【００１４】
上述した課題を解決し、目的を達成するため、本発明にかかるインナーフォーカス式レンズは、物体側から順に配置された、正の屈折力を有する第１レンズ群と、負の屈折力を有する第２レンズ群と、負の屈折力を有する第３レンズ群と、からなり、前記第１レンズ群は最も物体側に少なくとも１枚以上の負メニスカスレンズを備え、前記第１レンズ群および前記第３レンズ群を固定したまま、前記第１レンズ群と前記第２レンズ群との間隔が拡大し、前記第２レンズ群と前記第３レンズ群との間隔が縮小するように、前記第２レンズ群を光軸に沿って物体側から像側へ移動させることにより無限遠物体合焦状態から最至近距離物体合焦状態へ至るまでのフォーカシングを行い、以下に示す条件式を満足することを特徴とする。
（１）  −７．４６≦ｆ２／ｆ≦−２．１１
ただし、ｆ２は無限遠物体合焦状態における前記第２レンズ群の焦点距離、ｆは無限遠物体合焦状態における光学系全系の焦点距離を示す。
【００１５】
本発明によれば、小型、軽量のフォーカス群を備えるとともに、広角の焦点距離を有し、高い結像性能を備えた、小型のインナーフォーカス式レンズを実現することができる。
【００１６】
さらに、本発明にかかるインナーフォーカス式レンズは、前記発明において、以下に示す条件式を満足することを特徴とする。
（２）  ０．２８≦ｆ１／ｆ≦１．３０
ただし、ｆ１は無限遠物体合焦状態における前記第１レンズ群の焦点距離を示す。
【００１７】
本発明によれば、さらに小型で高い結像性能を備えたインナーフォーカス式レンズを実現することができる。
【００１８】
さらに、本発明にかかるインナーフォーカス式レンズは、前記発明において、以下に示す条件式を満足することを特徴とする。
（３）  ０．５０≦βｉｎｆ／βｍｏｄ≦２．０２
ただし、βｉｎｆは無限遠物体合焦状態における前記第２レンズ群の近軸倍率、βｍｏｄは最至近距離物体合焦状態における前記第２レンズ群の近軸倍率を示す。
【００１９】
本発明によれば、フォーカシングによる画角変動を抑制して、結像性能を向上させることができる。
【００２０】
さらに、本発明にかかるインナーフォーカス式レンズは、前記発明において、前記第３レンズ群が、物体側から順に配置された、正の屈折力を有するフロントサブレンズ群と、負の屈折力を有するリアサブレンズ群と、からなり、前記フロントサブレンズ群と前記リアサブレンズ群との間には該第３レンズ群中で最も広い軸上空気間隔が形成されていることを特徴とする。
【００２１】
本発明によれば、結像面に近いレンズの口径を縮小するとともに、軸上収差や軸外収差（特に歪曲収差）を良好に補正することができる。
【００２２】
さらに、本発明にかかるインナーフォーカス式レンズは、前記発明において、前記第３レンズ群の最も像側に負の屈折力を有する単レンズ成分が配置され、以下に示す条件式を満足することを特徴とする。
（４）  ０≦（Ｒ１＋Ｒ２）／（Ｒ１−Ｒ２）
ただし、Ｒ１は前記負の屈折力を有する単レンズ成分の物体側空気境界面の曲率半径、Ｒ２は前記負の屈折力を有する単レンズ成分の像側空気境界面の曲率半径を示す。
【００２３】
本発明によれば、第３レンズ群（最も像側のレンズ）の口径を縮小するとともに、軸外のコマ収差を良好に補正することができる。
【００２４】
さらに、本発明にかかるインナーフォーカス式レンズは、前記発明において、所定の口径を規定する開口絞りを備え、以下に示す条件式を満足することを特徴とする。
（５）  ０．２４≦Ｌ１ｓ／Ｌ≦０．９５
ただし、Ｌ１ｓは前記第１レンズ群の最物体側面から前記開口絞りまでの軸上距離、Ｌは光学系における、最物体側のレンズ面頂点から結像面までの軸上距離（光学系全長）を示す。
【００２５】
本発明によれば、結像性能を維持しながら前玉径および後玉径の縮小を図ることで、光学系の小型化を促進することができる。
【００２６】
さらに、本発明にかかるインナーフォーカス式レンズは、前記発明において、前記第２レンズ群が負の屈折力を有する単レンズ成分で構成されていることを特徴とする。
【００２７】
本発明によれば、フォーカス群である第２レンズ群の小型、軽量化を図ることで、動画撮影に適したインナーフォーカス式レンズを提供することができる。
【００２８】
さらに、本発明にかかるインナーフォーカス式レンズは、前記発明において、以下に示す条件式を満足することを特徴とする。
（６）  ｆ３／ｆ≦−２９．１
ただし、ｆ３は無限遠物体合焦状態における前記第３レンズ群の焦点距離を示す。
【００２９】
本発明によれば、光学系の全長を短縮するとともに、結像性能を向上させることができる。
【００３０】
さらに、本発明にかかるインナーフォーカス式レンズは、前記発明において、前記第３レンズ群が負の屈折力を有する単レンズ成分を含み構成され、該負の屈折力を有する単レンズ成分が単一の硝材で形成され、以下に示す条件式を満足することを特徴とする。
（７）  ３０≦νｄｎ
ただし、νｄｎは前記負の屈折力を有する単レンズ成分のｄ線に対するアッベ数を示す。
【００３１】
本発明によれば、第３レンズ群に含まれる、負の屈折力を有する単レンズ成分の小型、軽量化が容易になるとともに、倍率色収差を良好に補正することができる。
【発明の効果】
【００３２】
本発明によれば、小型、軽量のフォーカス群を備えるとともに、広角の焦点距離を有し、高い結像性能を備えた、小型のインナーフォーカス式レンズを提供することができるという効果を奏する。本発明によれば、動画撮影にも好適な、小型のインナーフォーカス式レンズを提供することができる。
【図面の簡単な説明】
【００３３】
【図１】実施例１にかかるインナーフォーカス式レンズの構成を示す光軸に沿う断面図である。
【図２】実施例１にかかるインナーフォーカス式レンズの諸収差図である。
【図３】実施例２にかかるインナーフォーカス式レンズの構成を示す光軸に沿う断面図である。
【図４】実施例２にかかるインナーフォーカス式レンズの諸収差図である。
【図５】実施例３にかかるインナーフォーカス式レンズの構成を示す光軸に沿う断面図である。
【図６】実施例３にかかるインナーフォーカス式レンズの諸収差図である。
【図７】実施例４にかかるインナーフォーカス式レンズの構成を示す光軸に沿う断面図である。
【図８】実施例４にかかるインナーフォーカス式レンズの諸収差図である。
【発明を実施するための形態】
【００３４】
以下、本発明にかかるインナーフォーカス式レンズの好適な実施の形態を詳細に説明する。
【００３５】
本発明にかかるインナーフォーカス式レンズは、物体側から順に配置された、正の屈折力を有する第１レンズ群と、負の屈折力を有する第２レンズ群と、負の屈折力を有する第３レンズ群と、からなっている。
【００３６】
本発明にかかるインナーフォーカス式レンズでは、第１レンズ群および第３レンズ群を固定したまま、第１レンズ群と第２レンズ群との間隔が拡大し、第２レンズ群と第３レンズ群との間隔が縮小するように、第２レンズ群を光軸に沿って物体側から像側へ移動させることにより無限遠物体合焦状態から最至近距離物体合焦状態へ至るまでのフォーカシングを行う。このように、第２レンズ群を移動させてフォーカシングを行うことで、光学系全長の変化がなく、防塵、防音性能を高めることができる。
【００３７】
また、最も物体側に正の屈折力を有する第１レンズ群を配置したことにより、後続する第２レンズ群へ導かれる光束径を縮小することができる。このため、フォーカス群である第２レンズ群の口径を小さくして、第２レンズ群の軽量化を図ることができる。この結果、高速かつ静粛性の高いフォーカシングが可能になり、動画撮影に有効である。また、第２レンズ群の口径を小さくすることができるため、光学系口径の小型化に有利である。
【００３８】
また、第１レンズ群の最も物体側に少なくとも１枚以上の負メニスカスレンズを配置することで、光学系の広角化が容易になる。
【００３９】
さらに、最も像側に負の屈折力を有する第３レンズ群を配置したことにより、テレフォト比（全長／焦点距離）を小さくして、バックフォーカスを短縮することが可能になり、光学系の小型化を促進することができる。
【００４０】
本発明は、小型、軽量のフォーカス群を備えるとともに、広角の焦点距離を有し、高い結像性能を備えた、小型のインナーフォーカス式レンズを提供することを目的としている。そこで、かかる目的を達成するため、上記特徴に加え、以下に示すような各種条件を設定している。
【００４１】
まず、本発明にかかるインナーフォーカス式レンズでは、無限遠物体合焦状態における第２レンズ群の焦点距離をｆ２、無限遠物体合焦状態における光学系全系の焦点距離をｆとするとき、次の条件式を満足することが好ましい。
（１）  −７．４６≦ｆ２／ｆ≦−２．１１
【００４２】
条件式（１）は、無限遠物体合焦状態における、第２レンズ群の焦点距離と光学系全系の焦点距離との比を規定する式である。条件式（１）を満足することにより、光学系の小型化を実現しつつ、高い結像性能を維持することができる（特に像面湾曲の補正に有効）。
【００４３】
条件式（１）においてその下限を下回ると、第２レンズ群の焦点距離が長くなって、第２レンズ群の負のパワーが弱くなりすぎる。この結果、フォーカシング時の第２レンズ群の移動量が増大して、光学系全長が延び、光学系の小型化が困難になる。一方、条件式（１）においてその上限を超えると、第２レンズ群の焦点距離が短くなって、第２レンズ群の負のパワーが強くなりすぎる。この結果、フォーカシング時の第２レンズ群の移動に伴う収差変動（特に像面湾曲の変動）、画角変動が過大となり、好ましくない。
【００４４】
なお、上記条件式（１）は、次に示す範囲を満足すると、より好ましい効果が期待できる。
（１ａ）  −５．６０≦ｆ２／ｆ≦−１．８０
【００４５】
また、上記条件式（１ａ）は、次に示す範囲を満足すると、さらに好ましい効果が期待できる。
（１ｂ）  −５．００≦ｆ２／ｆ≦−１．６２
【００４６】
さらに、本発明にかかるインナーフォーカス式レンズでは、無限遠物体合焦状態における第１レンズ群の焦点距離をｆ１、無限遠物体合焦状態における光学系全系の焦点距離をｆとするとき、次の条件式を満足することが好ましい。
（２）  ０．２８≦ｆ１／ｆ≦１．３０
【００４７】
条件式（２）は、無限遠物体合焦状態における、第１レンズ群の焦点距離と光学系全系の焦点距離との比を規定する式である。条件式（２）を満足することにより、光学系全系の焦点距離に対する第１レンズ群の焦点距離が適正なものとなって、後玉径の縮小および光学系全長の短縮が可能になるとともに、結像性能を向上させることができる。
【００４８】
条件式（２）においてその下限を下回ると、第１レンズ群の焦点距離が短くなって球面収差が補正不足となるばかりか、後続するレンズ群の近軸結像倍率が大きくなって後玉径が拡大し光学系の大型化につながるため、好ましくない。一方、条件式（２）においてその上限を超えると、第１レンズ群の焦点距離が長くなって光学系全長が延び、光学系の小型化を図ることが困難になる。
【００４９】
なお、上記条件式（２）は、次に示す範囲を満足すると、より好ましい効果が期待できる。
（２ａ）  ０．３７≦ｆ１／ｆ≦０．９７
【００５０】
また、上記条件式（２ａ）は、次に示す範囲を満足すると、さらに好ましい効果が期待できる。
（２ｂ）  ０．４５≦ｆ１／ｆ≦０．８０
【００５１】
さらに、本発明にかかるインナーフォーカス式レンズでは、無限遠物体合焦状態における第２レンズ群の近軸倍率をβｉｎｆ、最至近距離物体合焦状態における第２レンズ群の近軸倍率をβｍｏｄとするとき、次の条件式を満足することが好ましい。
（３）  ０．５０≦βｉｎｆ／βｍｏｄ≦２．０２
【００５２】
条件式（３）は、無限遠物体合焦状態と最至近距離物体合焦状態とにおける第２レンズ群の近軸横倍率の比を規定する式である。条件式（３）を満足することにより、フォーカス群（第２レンズ群）を稼動させても倍率の変化を抑制することができ、フォーカシングの際の画角変動を抑えることができる。条件式（３）で規定した範囲から逸脱すると、フォーカシングの際の画角変動を抑制することができなくなる。フォーカス群の移動中に画角変動が起きると、像が揺れているように見えて画像の品位が低下する。
【００５３】
なお、上記条件式（３）は、次に示す範囲を満足すると、より好ましい効果が期待できる。
（３ａ）  ０．６０≦βｉｎｆ／βｍｏｄ≦１．８０
【００５４】
また、上記条件式（３ａ）は、次に示す範囲を満足すると、さらに好ましい効果が期待できる。
（３ｂ）  ０．６８≦βｉｎｆ／βｍｏｄ≦１．６０
【００５５】
さらに、上記条件式（３ｂ）は、次に示す範囲を満足すると、フォーカシング時の画角変動を極めて小さくすることができる。
（３ｃ）  ０．８０≦βｉｎｆ／βｍｏｄ≦１．４０
【００５６】
さらに、本発明にかかるインナーフォーカス式レンズでは、第３レンズ群を、物体側から順に配置された、正の屈折力を有するフロントサブレンズ群と、負の屈折力を有するリアサブレンズ群と、により構成するとともに、フロントサブレンズ群とリアサブレンズ群との間に第３レンズ群中で最も広い軸上空気間隔を形成している。
【００５７】
このようにすることで、結像面に近いレンズ口径を縮小するとともに、結像性能を向上させることができる。すなわち、ミラーレス一眼カメラ等の小型カメラに搭載目的のショートフランジバックの光学系の小型化で課題となる像側のレンズ口径の拡大を、第３レンズ群の物体側に正の屈折力を有するフロントサブレンズ群を配置することで抑制できる。さらに、負の屈折力を有するリアサブレンズ群をフロントサブレンズ群の像側に空気間隔を設けて配置することで、正の屈折力を有するフロントサブレンズ群で軸上収差を補正しつつ、リアサブレンズ群において軸外収差、特に歪曲収差を良好に補正することができる。
【００５８】
また、本発明にかかるインナーフォーカス式レンズでは、第３レンズ群の最も像側に負の屈折力を有する単レンズ成分を配置することが好ましい。このようにすることで、第３レンズ群（最も像側のレンズ）の口径の小型化をより促進することができ、近年広く普及しているミラーレス一眼カメラ等の小型カメラに好適である。
【００５９】
なお、単レンズ成分とは、単一の研磨レンズや、非球面レンズ、複合非球面レンズ、接合レンズを含み、空気層をもち互いに接着されていない、たとえば正負の２枚レンズなどは含まない。
【００６０】
本発明にかかるインナーフォーカス式レンズでは、第３レンズ群の最も像側に負の屈折力を有する単レンズ成分を配置することに加え、当該負の屈折力を有する単レンズ成分の物体側空気境界面の曲率半径をＲ１、当該負の屈折力を有する単レンズ成分の像側空気境界面の曲率半径をＲ２とするとき、次の条件式を満足することが好ましい。
（４）  ０≦（Ｒ１＋Ｒ２）／（Ｒ１−Ｒ２）
【００６１】
条件式（４）は、第３レンズ群の最も像側に配置される、負の屈折力を有する単レンズ成分の形状を規定する式である。条件式（４）を満足すると、当該単レンズ成分において、物体側面の曲率半径が像側面の曲率半径より大きくなる。この結果、軸外コマ収差の良好な補正が可能になる。
【００６２】
なお、上記条件式（４）は、次に示す範囲を満足すると、より好ましい効果が期待できる。
（４ａ）  ０．５≦（Ｒ１＋Ｒ２）／（Ｒ１−Ｒ２）
【００６３】
また、上記条件式（４ａ）は、次に示す範囲を満足すると、さらに好ましい効果が期待できる。
（４ｂ）  ０．７≦（Ｒ１＋Ｒ２）／（Ｒ１−Ｒ２）≦１００
【００６４】
さらに、本発明にかかるインナーフォーカス式レンズは、所定の口径を規定する開口絞りを備え、第１レンズ群の最物体側面から開口絞りまでの軸上距離をＬ１ｓ、光学系における、最物体側のレンズ面頂点から結像面までの軸上距離（光学系全長）をＬとするとき、次の条件式を満足することが好ましい。
（５）  ０．２４≦Ｌ１ｓ／Ｌ≦０．９５
【００６５】
条件式（５）は、第１レンズ群の最物体側面から開口絞りまでの軸上距離と光学系全長との比を規定する式である。条件式（５）を満足することで、光学系全長に対する開口絞りの適切な位置を規定して、高い結像性能を維持しながら、光学系口径の小型化を実現することができる。
【００６６】
条件式（５）においてその下限を下回ると、開口絞りが物体側に近づきすぎて像側のレンズ口径が拡大するばかりか、後群における軸外収差、主に歪曲収差の発生が顕著になるため、好ましくない。一方、条件式（５）においてその上限を超えると、開口絞りが像側に近づきすぎて、前玉の有効径の拡大につながり、光学系の小型化が困難になる。なお、開口絞りは、第１レンズ群内に配置されることが好ましい。
【００６７】
なお、上記条件式（５）は、次に示す範囲を満足すると、より好ましい効果が期待できる。
（５ａ）  ０．３２≦Ｌ１ｓ／Ｌ≦０．７１
【００６８】
また、上記条件式（５ａ）は、次に示す範囲を満足すると、さらに好ましい効果が期待できる。
（５ｂ）  ０．４０≦Ｌ１ｓ／Ｌ≦０．６０
【００６９】
さらに、本発明にかかるインナーフォーカス式レンズでは、第２レンズ群を負の屈折力を有する単レンズ成分で構成することが好ましい。なお、単レンズ成分の意味は、前述のとおりである。
【００７０】
第２レンズ群を負の屈折力を有する単レンズ成分で構成することでフォーカス群の小型、軽量化が達成され、高速のフォーカシングが可能になり、動画撮影に有効である。また、フォーカス群の小型、軽量化を図ることにより、フォーカス群の駆動をつかさどるアクチュエータ等の駆動手段の負荷も減少し、省電力化に資することになる。また、当該駆動手段の一層の小型化を促進することができる。
【００７１】
さらに、本発明にかかるインナーフォーカス式レンズでは、無限遠物体合焦状態における第３レンズ群の焦点距離をｆ３、無限遠物体合焦状態における光学系全系の焦点距離をｆとするとき、次の条件式を満足することが好ましい。
（６）      ｆ３／ｆ≦−２９．１
【００７２】
条件式（６）は、無限遠物体合焦状態における、第３レンズ群の焦点距離と光学系全系の焦点距離との比を規定する式である。この条件式（６）を満足することにより、第３レンズ群の屈折力が適正化され、結像性能を劣化させることなく、光学系の全長および口径の小型化を達成することができる。
【００７３】
条件式（６）においてその上限を超えると、第３レンズ群の屈折力が強くなる。この場合、当該光学系全系におけるＦナンバーが大きくなる傾向になり、明るい光学系を得ることができない。この状態で明るい光学系を実現するためには、開口絞りを大きく開く必要がある。しかし、開口絞りを大きく開くと諸収差の発生が顕著になることから、結像性能の良好な光学系を実現するためには、収差補正のためにレンズ枚数を増やさなければならなくなる。特に、第１レンズ群を構成するレンズの枚数を増やす必要が生じる。光学系を構成するレンズ枚数が多くなると、光学系の小型、軽量化を図ることが困難になるため、好ましくない。
【００７４】
なお、上記条件式（６）は、次に示す範囲を満足すると、より好ましい効果が期待できる。
（６ａ）  −１２０００≦ｆ３／ｆ≦−３０．１
【００７５】
また、上記条件式（６ａ）は、次に示す範囲を満足すると、さらに好ましい効果が期待できる。
（６ｂ）  −１００００≦ｆ３／ｆ≦−３１．１
【００７６】
さらに、本発明にかかるインナーフォーカス式レンズにおいて、第３レンズ群は負の屈折力を有する単レンズ成分を含み構成されることが好ましく、当該単レンズ成分は単一の硝材で形成されることがより好ましい。第３レンズ群中の当該単レンズ成分を単一の硝材で形成すると、当該単レンズ成分の光軸方向、径方向の小型化が容易になる。また、当該単レンズ成分の軽量化を図ることも容易になる。
【００７７】
そして、本発明にかかるインナーフォーカス式レンズでは、当該負の屈折力を有する単レンズ成分のｄ線に対するアッベ数をνｄｎとするとき、次の条件式を満足することが好ましい。
（７）      ３０≦νｄｎ
【００７８】
条件式（７）においてその下限を下回ると、倍率色収差が過補正になり、高い結像性能を維持することが困難になるため、好ましくない。
【００７９】
さらに、本発明にかかるインナーフォーカス式レンズでは、第２レンズ群の最物体側面の曲率半径をＲ２１、第２レンズ群の最像側面の曲率半径をＲ２２とするとき、次の条件式を満足することが好ましい。
（８）      ０≦（Ｒ２１＋Ｒ２２）／（Ｒ２１−Ｒ２２）
【００８０】
条件式（８）は、第２レンズ群における、最物体側面の形状と最像側面の形状を規定する式である。条件式（８）を満足することにより、第２レンズ群における、最像側面の曲率半径が最物体側面の曲率半径より小さくなる。この結果、強いパワーをもつ面に入射する光線角度の変化を小さくして、フォーカシング時の像面湾曲の変動を抑制することができる。
【００８１】
なお、上記条件式（８）は、次に示す範囲を満足すると、より好ましい効果が期待できる。
（８ａ）  １≦（Ｒ２１＋Ｒ２２）／（Ｒ２１−Ｒ２２）
【００８２】
また、上記条件式（８ａ）は、次に示す範囲を満足すると、さらに好ましい効果が期待できる。
（８ｂ）  １≦（Ｒ２１＋Ｒ２２）／（Ｒ２１−Ｒ２２）≦３００
【００８３】
また、本発明にかかるインナーフォーカス式レンズにおいて、第１レンズ群中に非球面が形成された正レンズを配置すると、球面収差の補正に効果的である。特に、当該正レンズに近軸曲率のパワーを弱める形状の非球面を形成すると、球面収差の補正効果が向上する。
【００８４】
また、本発明にかかるインナーフォーカス式レンズにおいて、第２レンズ群を構成するレンズに非球面を形成すると、像面湾曲の補正により効果的である。特に、第２レンズ群を構成するレンズに近軸曲率のパワーを弱める形状の非球面を形成すると、像面湾曲の補正効果がより向上するとともに、フォーカシング時の像面湾曲の変動を抑える効果がより高くなる。
【００８５】
また、本発明にかかるインナーフォーカス式レンズにおいて、第３レンズ群を構成するレンズに非球面を形成すると、像面湾曲の補正に効果的である。特に、第３レンズ群を構成するレンズに近軸曲率のパワーを弱める形状の非球面を形成すると、像面湾曲の補正効果が向上する。
【００８６】
以上説明したように、本発明によれば、小型、軽量のフォーカス群を備えるとともに、広角の焦点距離を有し、高い結像性能を備えた、小型のインナーフォーカス式レンズを実現することができる。特に、上記各条件式を満足することで、動画撮影に好適な、より小型で高い結像性能を有するインナーフォーカス式レンズを実現することができる。
【００８７】
以下、本発明にかかるインナーフォーカス式レンズの実施例を図面に基づき詳細に説明する。なお、以下の実施例によりこの発明が限定されるものではない。
【実施例１】
【００８８】
図１は、実施例１にかかるインナーフォーカス式レンズの構成を示す光軸に沿う断面図である。図１は、無限遠物体合焦状態を示している。このインナーフォーカス式レンズは、図示しない物体側から順に、正の屈折力を有する第１レンズ群Ｇ11と、負の屈折力を有する第２レンズ群Ｇ12と、負の屈折力を有する第３レンズ群Ｇ13と、が配置されて構成される。第３レンズ群Ｇ13と結像面ＩＭＧとの間には、カバーガラスＣＧが配置されている。
【００８９】
第１レンズ群Ｇ11は、物体側から順に、負メニスカスレンズＬ111と、負メニスカスレンズＬ112と、負レンズＬ113と、正レンズＬ114と、負レンズＬ115と、正レンズＬ116と、所定の口径を規定する開口絞りＳＴＰと、正レンズＬ117と、が配置されて構成される。負レンズＬ113の両面には、非球面が形成されている。負レンズＬ115と正レンズＬ116とは、接合されている。正レンズＬ117の両面には、非球面が形成されている。
【００９０】
第２レンズ群Ｇ12は、負レンズＬ121により構成される。負レンズＬ121の両面には、非球面が形成されている。
【００９１】
第３レンズ群Ｇ13は、物体側から順に、正の屈折力を有するフロントサブレンズ群Ｇ13Fと、負の屈折力を有するリアサブレンズ群Ｇ13Rと、が配置されて構成される。フロントサブレンズ群Ｇ13Fとリアサブレンズ群Ｇ13Rとの間には、第３レンズ群Ｇ13中で最も広い軸上空気間隔が形成されている。
【００９２】
フロントサブレンズ群Ｇ13Fは、物体側から順に、正レンズＬ131と、正レンズＬ132と、が配置されて構成される。リアサブレンズ群Ｇ13Rは、負レンズＬ133により構成される。負レンズＬ133は、単一の硝材で形成されている。負レンズＬ133の両面には、非球面が形成されている。
【００９３】
このインナーフォーカス式レンズでは、第１レンズ群Ｇ11および第３レンズ群Ｇ13を固定したまま、第１レンズ群Ｇ11と第２レンズ群Ｇ12との間隔が拡大し、第２レンズ群Ｇ12と第３レンズ群Ｇ13との間隔が縮小するように、第２レンズ群Ｇ12を光軸に沿って物体側から結像面ＩＭＧ側へ移動させることにより無限遠物体合焦状態から最至近距離物体合焦状態へ至るまでのフォーカシングを行う。
【００９４】
以下、実施例１にかかるインナーフォーカス式レンズに関する各種数値データを示す。
【００９５】
（レンズデータ）
ｒ1＝28.832
ｄ1＝2.000    ｎｄ1＝1.5935    νｄ1＝67.00
ｒ2＝15.623
ｄ2＝6.886
ｒ3＝29.397
ｄ3＝1.500    ｎｄ2＝1.4970    νｄ2＝81.61
ｒ4＝13.122
ｄ4＝5.883
ｒ5＝52.568（非球面）
ｄ5＝1.300    ｎｄ3＝1.5920    νｄ3＝67.02
ｒ6＝12.910（非球面）
ｄ6＝3.068
ｒ7＝30.333
ｄ7＝2.265    ｎｄ4＝1.8810    νｄ4＝40.14
ｒ8＝141.737
ｄ8＝12.099
ｒ9＝24.676
ｄ9＝1.000    ｎｄ5＝1.8810    νｄ5＝40.14
ｒ10＝13.601
ｄ10＝5.292    ｎｄ6＝1.4875    νｄ6＝70.44
ｒ11＝-35.502
ｄ11＝1.300
ｒ12＝∞（開口絞り）
ｄ12＝2.425
ｒ13＝30.850（非球面）
ｄ13＝4.386    ｎｄ7＝1.4971    νｄ7＝81.56
ｒ14＝-18.338（非球面）
ｄ14＝D(14)（可変）
ｒ15＝45.781（非球面）
ｄ15＝0.800    ｎｄ8＝1.7290    νｄ8＝54.04
ｒ16＝19.193（非球面）
ｄ16＝D(16)（可変）
ｒ17＝-68.737
ｄ17＝2.535    ｎｄ9＝1.4970    νｄ9＝81.61
ｒ18＝-25.555
ｄ18＝0.100
ｒ19＝-329.577
ｄ19＝4.036    ｎｄ10＝1.4970    νｄ10＝81.61
ｒ20＝-23.042
ｄ20＝0.329
ｒ21＝-400.000（非球面）
ｄ21＝1.200    ｎｄ11＝1.8820    νｄ11＝37.22
ｒ22＝26.785（非球面）
ｄ22＝25.606
ｒ23＝∞
ｄ23＝2.500    ｎｄ12＝1.5168    νｄ12＝64.20
ｒ24＝∞
ｄ24＝1.000
ｒ25＝∞（結像面）
【００９６】
円錐係数（ｋ）および非球面係数（Ａ4，Ａ6，Ａ8，Ａ10）
（第５面）
ｋ＝0，
Ａ4＝-2.6625×10-5，Ａ6＝3.0031×10-7，
Ａ8＝-1.7989×10-9，Ａ10＝5.7847×10-12
（第６面）
ｋ＝0，
Ａ4＝-6.8334×10-5，Ａ6＝8.4364×10-9，
Ａ8＝-1.2228×10-9，Ａ10＝-9.8374×10-12
（第１３面）
ｋ＝0，
Ａ4＝-2.2269×10-5，Ａ6＝1.1253×10-9，
Ａ8＝-1.0562×10-9，Ａ10＝-3.1969×10-12
（第１４面）
ｋ＝0，
Ａ4＝5.1791×10-5，Ａ6＝-5.2286×10-7，
Ａ8＝4.0083×10-9，Ａ10＝2.3692×10-11
（第１５面）
ｋ＝0，
Ａ4＝2.0348×10-5，Ａ6＝-1.1141×10-6，
Ａ8＝1.4175×10-8，Ａ10＝-5.7786×10-11
（第１６面）
ｋ＝0，
Ａ4＝2.1580×10-5，Ａ6＝-8.9505×10-7，
Ａ8＝1.2780×10-8，Ａ10＝-5.7413×10-11
（第２１面）
ｋ＝0，
Ａ4＝-2.4151×10-5，Ａ6＝-1.3394×10-7，
Ａ8＝2.2182×10-9，Ａ10＝-7.5852×10-12
（第２２面）
ｋ＝0，
Ａ4＝-3.5206×10-6，Ａ6＝-1.2925×10-7，
Ａ8＝2.2655×10-9，Ａ10＝-8.5817×10-12
【００９７】
（各合焦状態の数値データ）
無限遠      最至近距離（物体距離158.000mm）
D(14)                                 1.472           2.318
D(16)                                 6.519           5.674
ｆ（光学系全系の焦点距離）          18.54           17.88
ＦＮＯ（Ｆナンバー）                 2.88            2.92
ω（半画角）                        50.29           49.76
ｆ１（第１レンズ群Ｇ11の焦点距離）  10.28          10.28
ｆ２（第２レンズ群Ｇ12の焦点距離） -45.92         -45.92
ｆ３（第３レンズ群Ｇ13の焦点距離）-722.75        -722.75
ＢＦ（バックフォーカス）            29.106          29.106
【００９８】
（条件式（１）に関する数値）
ｆ２／ｆ＝-2.48
【００９９】
（条件式（２）に関する数値）
ｆ１／ｆ＝0.55
【０１００】
（条件式（３）に関する数値）
βｉｎｆ（無限遠物体合焦状態における第２レンズ群Ｇ12の近軸倍率）＝1.83
βｍｏｄ（最至近距離物体合焦状態における第２レンズ群Ｇ12の近軸倍率）＝1.81
βｉｎｆ／βｍｏｄ＝1.01
【０１０１】
（条件式（４）に関する数値）
Ｒ１（負レンズＬ133の物体側空気境界面の曲率半径）＝-400.000
Ｒ２（負レンズＬ133の像側空気境界面の曲率半径）＝26.785
（Ｒ１＋Ｒ２）／（Ｒ１−Ｒ２）＝0.87
【０１０２】
（条件式（５）に関する数値）
Ｌ１ｓ（第１レンズ群Ｇ11の最物体側面から開口絞りＳＴＰまでの軸上距離）＝42.593
Ｌ（第１レンズ群Ｇ11の最物体側のレンズ面頂点から結像面ＩＭＧまでの軸上距離（光学系全長））＝95.501
Ｌ１ｓ／Ｌ＝0.45
【０１０３】
（条件式（６）に関する数値）
ｆ３／ｆ＝-38.97
【０１０４】
（条件式（７）に関する数値）
νｄｎ（負レンズＬ133のｄ線に対するアッベ数）＝37.22
【０１０５】
（条件式（８）に関する数値）
Ｒ２１（負レンズＬ121の最物体側面の曲率半径）＝45.781
Ｒ２２（負レンズＬ121の最像側面の曲率半径）＝19.193
（Ｒ２１＋Ｒ２２）／（Ｒ２１−Ｒ２２）＝2.44
【０１０６】
図２は、実施例１にかかるインナーフォーカス式レンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、Ｙで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は像高（図中、Ｙで示す）を表し、ｄ線（λ＝５８７．５６ｎｍ）に相当する波長の特性を示している。
【実施例２】
【０１０７】
図３は、実施例２にかかるインナーフォーカス式レンズの構成を示す光軸に沿う断面図である。図３は、無限遠物体合焦状態を示している。このインナーフォーカス式レンズは、図示しない物体側から順に、正の屈折力を有する第１レンズ群Ｇ21と、負の屈折力を有する第２レンズ群Ｇ22と、負の屈折力を有する第３レンズ群Ｇ23と、が配置されて構成される。第３レンズ群Ｇ23と結像面ＩＭＧとの間には、カバーガラスＣＧが配置されている。
【０１０８】
第１レンズ群Ｇ21は、物体側から順に、負メニスカスレンズＬ211と、負メニスカスレンズＬ212と、負レンズＬ213と、正レンズＬ214と、負レンズＬ215と、正レンズＬ216と、所定の口径を規定する開口絞りＳＴＰと、正レンズＬ217と、が配置されて構成される。負レンズＬ213の両面には、非球面が形成されている。負レンズＬ215と正レンズＬ216とは、接合されている。正レンズＬ217の両面には、非球面が形成されている。
【０１０９】
第２レンズ群Ｇ22は、負レンズＬ221により構成される。負レンズＬ221の両面には、非球面が形成されている。
【０１１０】
第３レンズ群Ｇ23は、物体側から順に、正の屈折力を有するフロントサブレンズ群Ｇ23Fと、負の屈折力を有するリアサブレンズ群Ｇ23Rと、が配置されて構成される。フロントサブレンズ群Ｇ23Fとリアサブレンズ群Ｇ23Rとの間には、第３レンズ群Ｇ23中で最も広い軸上空気間隔が形成されている。
【０１１１】
フロントサブレンズ群Ｇ23Fは、物体側から順に、正レンズＬ231と、正レンズＬ232と、が配置されて構成される。リアサブレンズ群Ｇ23Rは、負レンズＬ233により構成される。負レンズＬ233は、単一の硝材で形成されている。負レンズＬ233の両面には、非球面が形成されている。
【０１１２】
このインナーフォーカス式レンズでは、第１レンズ群Ｇ21および第３レンズ群Ｇ23を固定したまま、第１レンズ群Ｇ21と第２レンズ群Ｇ22との間隔が拡大し、第２レンズ群Ｇ22と第３レンズ群Ｇ23との間隔が縮小するように、第２レンズ群Ｇ22を光軸に沿って物体側から結像面ＩＭＧ側へ移動させることにより無限遠物体合焦状態から最至近距離物体合焦状態へ至るまでのフォーカシングを行う。
【０１１３】
以下、実施例２にかかるインナーフォーカス式レンズに関する各種数値データを示す。
【０１１４】
（レンズデータ）
ｒ1＝30.152
ｄ1＝2.000    ｎｄ1＝1.5935    νｄ1＝67.00
ｒ2＝16.214
ｄ2＝6.369
ｒ3＝31.366
ｄ3＝1.500    ｎｄ2＝1.4970    νｄ2＝81.61
ｒ4＝13.499
ｄ4＝5.658
ｒ5＝51.837（非球面）
ｄ5＝1.300    ｎｄ3＝1.5920    νｄ3＝67.02
ｒ6＝13.285（非球面）
ｄ6＝2.866
ｒ7＝27.620
ｄ7＝2.238    ｎｄ4＝1.8810    νｄ4＝40.14
ｒ8＝87.188
ｄ8＝12.690
ｒ9＝23.272
ｄ9＝1.000    ｎｄ5＝1.8810    νｄ5＝40.14
ｒ10＝13.324
ｄ10＝5.334    ｎｄ6＝1.4875    νｄ6＝70.44
ｒ11＝-43.127
ｄ11＝1.629
ｒ12＝∞（開口絞り）
ｄ12＝1.822
ｒ13＝30.203（非球面）
ｄ13＝4.424    ｎｄ7＝1.4971    νｄ7＝81.56
ｒ14＝-18.833（非球面）
ｄ14＝D(14)（可変）
ｒ15＝42.496（非球面）
ｄ15＝0.800    ｎｄ8＝1.7290    νｄ8＝54.04
ｒ16＝18.812（非球面）
ｄ16＝D(16)（可変）
ｒ17＝647.460
ｄ17＝3.783    ｎｄ9＝1.4970    νｄ9＝81.61
ｒ18＝-19.801
ｄ18＝0.100
ｒ19＝-48.734
ｄ19＝2.492    ｎｄ10＝1.4970    νｄ10＝81.61
ｒ20＝-33.384
ｄ20＝0.761
ｒ21＝-400.000（非球面）
ｄ21＝1.200    ｎｄ11＝1.8820    νｄ11＝37.22
ｒ22＝27.667（非球面）
ｄ22＝22.428
ｒ23＝∞
ｄ23＝2.500    ｎｄ12＝1.5168    νｄ12＝64.20
ｒ24＝∞
ｄ24＝1.000
ｒ25＝∞（結像面）
【０１１５】
円錐係数（ｋ）および非球面係数（Ａ4，Ａ6，Ａ8，Ａ10）
（第５面）
ｋ＝0，
Ａ4＝-2.7090×10-5，Ａ6＝2.6283×10-7，
Ａ8＝-1.4454×10-9，Ａ10＝4.3803×10-12
（第６面）
ｋ＝0，
Ａ4＝-6.1483×10-5，Ａ6＝4.0703×10-8，
Ａ8＝-1.1388×10-9，Ａ10＝-6.0150×10-12
（第１３面）
ｋ＝0，
Ａ4＝-2.2964×10-5，Ａ6＝-6.1034×10-9，
Ａ8＝-1.0258×10-9，Ａ10＝2.5147×10-12
（第１４面）
ｋ＝0，
Ａ4＝4.6889×10-5，Ａ6＝-4.5934×10-7，
Ａ8＝3.4940×10-9，Ａ10＝-1.7504×10-11
（第１５面）
ｋ＝0，
Ａ4＝2.0032×10-5，Ａ6＝-1.0580×10-6，
Ａ8＝1.3913×10-8，Ａ10＝-6.6138×10-11
（第１６面）
ｋ＝0，
Ａ4＝2.3359×10-5，Ａ6＝-8.3928×10-7，
Ａ8＝1.2186×10-8，Ａ10＝-6.4391×10-11
（第２１面）
ｋ＝0，
Ａ4＝-2.3499×10-5，Ａ6＝-1.2412×10-7，
Ａ8＝2.2965×10-9，Ａ10＝-8.5091×10-12
（第２２面）
ｋ＝0，
Ａ4＝-2.5375×10-6，Ａ6＝-1.1587×10-7，
Ａ8＝2.1605×10-9，Ａ10＝-8.6835×10-12
【０１１６】
（各合焦状態の数値データ）
無限遠      最至近距離（物体距離158.000mm）
D(14)                                 1.480           2.405
D(16)                                 6.626           5.702
ｆ（光学系全系の焦点距離）          19.41           18.66
ＦＮＯ（Ｆナンバー）                 2.88            2.92
ω（半画角）                        49.11           48.48
ｆ１（第１レンズ群Ｇ21の焦点距離）  10.82          10.82
ｆ２（第２レンズ群Ｇ22の焦点距離） -46.97         -46.97
ｆ３（第３レンズ群Ｇ23の焦点距離）-626.90        -626.90
ＢＦ（バックフォーカス）            25.928          25.928
【０１１７】
（条件式（１）に関する数値）
ｆ２／ｆ＝-2.42
【０１１８】
（条件式（２）に関する数値）
ｆ１／ｆ＝0.56
【０１１９】
（条件式（３）に関する数値）
βｉｎｆ（無限遠物体合焦状態における第２レンズ群Ｇ22の近軸倍率）＝1.85
βｍｏｄ（最至近距離物体合焦状態における第２レンズ群Ｇ22の近軸倍率）＝1.83
βｉｎｆ／βｍｏｄ＝1.01
【０１２０】
（条件式（４）に関する数値）
Ｒ１（負レンズＬ233の物体側空気境界面の曲率半径）＝-400.000
Ｒ２（負レンズＬ233の像側空気境界面の曲率半径）＝27.667
（Ｒ１＋Ｒ２）／（Ｒ１−Ｒ２）＝0.87
【０１２１】
（条件式（５）に関する数値）
Ｌ１ｓ（第１レンズ群Ｇ21の最物体側面から開口絞りＳＴＰまでの軸上距離）＝42.584
Ｌ（第１レンズ群Ｇ21の最物体側のレンズ面頂点から結像面ＩＭＧまでの軸上距離（光学系全長））＝92.000
Ｌ１ｓ／Ｌ＝0.46
【０１２２】
（条件式（６）に関する数値）
ｆ３／ｆ＝-32.30
【０１２３】
（条件式（７）に関する数値）
νｄｎ（負レンズＬ233のｄ線に対するアッベ数）＝37.22
【０１２４】
（条件式（８）に関する数値）
Ｒ２１（負レンズＬ221の最物体側面の曲率半径）＝42.496
Ｒ２２（負レンズＬ221の最像側面の曲率半径）＝18.812
（Ｒ２１＋Ｒ２２）／（Ｒ２１−Ｒ２２）＝2.59
【０１２５】
図４は、実施例２にかかるインナーフォーカス式レンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、Ｙで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は像高（図中、Ｙで示す）を表し、ｄ線（λ＝５８７．５６ｎｍ）に相当する波長の特性を示している。
【実施例３】
【０１２６】
図５は、実施例３にかかるインナーフォーカス式レンズの構成を示す光軸に沿う断面図である。図５は、無限遠物体合焦状態を示している。このインナーフォーカス式レンズは、図示しない物体側から順に、正の屈折力を有する第１レンズ群Ｇ31と、負の屈折力を有する第２レンズ群Ｇ32と、負の屈折力を有する第３レンズ群Ｇ33と、が配置されて構成される。第３レンズ群Ｇ33と結像面ＩＭＧとの間には、カバーガラスＣＧが配置されている。
【０１２７】
第１レンズ群Ｇ31は、物体側から順に、負メニスカスレンズＬ311と、負メニスカスレンズＬ312と、負レンズＬ313と、正レンズＬ314と、負レンズＬ315と、正レンズＬ316と、所定の口径を規定する開口絞りＳＴＰと、正レンズＬ317と、が配置されて構成される。負レンズＬ313の両面には、非球面が形成されている。負レンズＬ315と正レンズＬ316とは、接合されている。正レンズＬ317の両面には、非球面が形成されている。
【０１２８】
第２レンズ群Ｇ32は、負レンズＬ321により構成される。負レンズＬ321の両面には、非球面が形成されている。
【０１２９】
第３レンズ群Ｇ33は、物体側から順に、正の屈折力を有するフロントサブレンズ群Ｇ33Fと、負の屈折力を有するリアサブレンズ群Ｇ33Rと、が配置されて構成される。フロントサブレンズ群Ｇ33Fとリアサブレンズ群Ｇ33Rとの間には、第３レンズ群Ｇ33中で最も広い軸上空気間隔が形成されている。
【０１３０】
フロントサブレンズ群Ｇ33Fは、物体側から順に、正レンズＬ331と、正レンズＬ332と、が配置されて構成される。リアサブレンズ群Ｇ33Rは、負レンズＬ333により構成される。負レンズＬ333は、単一の硝材で形成されている。負レンズＬ333の両面には、非球面が形成されている。
【０１３１】
このインナーフォーカス式レンズでは、第１レンズ群Ｇ31および第３レンズ群Ｇ33を固定したまま、第１レンズ群Ｇ31と第２レンズ群Ｇ32との間隔が拡大し、第２レンズ群Ｇ32と第３レンズ群Ｇ33との間隔が縮小するように、第２レンズ群Ｇ32を光軸に沿って物体側から結像面ＩＭＧ側へ移動させることにより無限遠物体合焦状態から最至近距離物体合焦状態へ至るまでのフォーカシングを行う。
【０１３２】
以下、実施例３にかかるインナーフォーカス式レンズに関する各種数値データを示す。
【０１３３】
（レンズデータ）
ｒ1＝29.863
ｄ1＝2.000    ｎｄ1＝1.5935    νｄ1＝67.00
ｒ2＝15.214
ｄ2＝7.108
ｒ3＝31.676
ｄ3＝1.500    ｎｄ2＝1.4970    νｄ2＝81.61
ｒ4＝12.821
ｄ4＝5.662
ｒ5＝56.855（非球面）
ｄ5＝1.300    ｎｄ3＝1.5920    νｄ3＝67.02
ｒ6＝12.496（非球面）
ｄ6＝4.710
ｒ7＝25.649
ｄ7＝2.736    ｎｄ4＝1.8810    νｄ4＝40.14
ｒ8＝-2872.181
ｄ8＝10.427
ｒ9＝29.340
ｄ9＝1.000    ｎｄ5＝1.8810    νｄ5＝40.14
ｒ10＝11.062
ｄ10＝5.282    ｎｄ6＝1.4875    νｄ6＝70.44
ｒ11＝-36.758
ｄ11＝1.300
ｒ12＝∞（開口絞り）
ｄ12＝3.832
ｒ13＝32.994（非球面）
ｄ13＝4.343    ｎｄ7＝1.4971    νｄ7＝81.56
ｒ14＝-16.586（非球面）
ｄ14＝D(14)（可変）
ｒ15＝168.747（非球面）
ｄ15＝0.800    ｎｄ8＝1.7290    νｄ8＝54.04
ｒ16＝35.344（非球面）
ｄ16＝D(16)（可変）
ｒ17＝-47.172
ｄ17＝2.755    ｎｄ9＝1.4970    νｄ9＝81.61
ｒ18＝-20.329
ｄ18＝0.100
ｒ19＝-45.060
ｄ19＝3.412    ｎｄ10＝1.4970    νｄ10＝81.61
ｒ20＝-20.831
ｄ20＝0.833
ｒ21＝-400.000（非球面）
ｄ21＝1.200    ｎｄ11＝1.8820    νｄ11＝37.22
ｒ22＝34.153（非球面）
ｄ22＝20.338
ｒ23＝∞
ｄ23＝2.500    ｎｄ12＝1.5168    νｄ12＝64.20
ｒ24＝∞
ｄ24＝1.000
ｒ25＝∞（結像面）
【０１３４】
円錐係数（ｋ）および非球面係数（Ａ4，Ａ6，Ａ8，Ａ10）
（第５面）
ｋ＝0，
Ａ4＝-2.3716×10-5，Ａ6＝1.7317×10-7，
Ａ8＝-6.4139×10-10，Ａ10＝1.5464×10-12
（第６面）
ｋ＝0，
Ａ4＝-8.7141×10-5，Ａ6＝-3.1834×10-7，
Ａ8＝1.5577×10-9，Ａ10＝-2.7154×10-11
（第１３面）
ｋ＝0，
Ａ4＝-1.4834×10-5，Ａ6＝-1.6560×10-7，
Ａ8＝1.3132×10-9，Ａ10＝-1.6004×10-11
（第１４面）
ｋ＝0，
Ａ4＝2.5383×10-5，Ａ6＝-2.6971×10-7，
Ａ8＝1.9137×10-9，Ａ10＝-1.9738×10-11
（第１５面）
ｋ＝0，
Ａ4＝4.8211×10-5，Ａ6＝-8.0172×10-7，
Ａ8＝1.0635×10-8，Ａ10＝-4.7053×10-11
（第１６面）
ｋ＝0，
Ａ4＝5.9595×10-5，Ａ6＝-8.2829×10-7，
Ａ8＝1.1533×10-8，Ａ10＝-4.9667×10-11
（第２１面）
ｋ＝0，
Ａ4＝-7.9720×10-5，Ａ6＝-2.0100×10-7，
Ａ8＝2.0113×10-9，Ａ10＝7.2706×10-14
（第２２面）
ｋ＝0，
Ａ4＝-4.3301×10-5，Ａ6＝-1.5941×10-7，
Ａ8＝3.0911×10-9，Ａ10＝-7.0460×10-12
【０１３５】
（各合焦状態の数値データ）
無限遠    最至近距離（物体距離158.000mm）
D(14)                                    1.489           2.539
D(16)                                    6.373           5.323
ｆ（光学系全系の焦点距離）             16.49           16.05
ＦＮＯ（Ｆナンバー）                    2.88            2.91
ω（半画角）                           53.50           53.14
ｆ１（第１レンズ群Ｇ31の焦点距離）     10.68          10.68
ｆ２（第２レンズ群Ｇ32の焦点距離）    -61.48         -61.48
ｆ３（第３レンズ群Ｇ33の焦点距離）  -126154        -126154
ＢＦ（バックフォーカス）               23.838          23.838
【０１３６】
（条件式（１）に関する数値）
ｆ２／ｆ＝-3.73
【０１３７】
（条件式（２）に関する数値）
ｆ１／ｆ＝0.65
【０１３８】
（条件式（３）に関する数値）
βｉｎｆ（無限遠物体合焦状態における第２レンズ群Ｇ32の近軸倍率）＝1.59
βｍｏｄ（最至近距離物体合焦状態における第２レンズ群Ｇ32の近軸倍率）＝1.57
βｉｎｆ／βｍｏｄ＝1.01
【０１３９】
（条件式（４）に関する数値）
Ｒ１（負レンズＬ333の物体側空気境界面の曲率半径）＝-400.000
Ｒ２（負レンズＬ333の像側空気境界面の曲率半径）＝34.153
（Ｒ１＋Ｒ２）／（Ｒ１−Ｒ２）＝0.84
【０１４０】
（条件式（５）に関する数値）
Ｌ１ｓ（第１レンズ群Ｇ31の最物体側面から開口絞りＳＴＰまでの軸上距離）＝43.025
Ｌ（第１レンズ群Ｇ31の最物体側のレンズ面頂点から結像面ＩＭＧまでの軸上距離（光学系全長））＝92.000
Ｌ１ｓ／Ｌ＝0.47
【０１４１】
（条件式（６）に関する数値）
ｆ３／ｆ＝-7652.47
【０１４２】
（条件式（７）に関する数値）
νｄｎ（負レンズＬ333のｄ線に対するアッベ数）＝37.22
【０１４３】
（条件式（８）に関する数値）
Ｒ２１（負レンズＬ321の最物体側面の曲率半径）＝168.747
Ｒ２２（負レンズＬ321の最像側面の曲率半径）＝35.344
（Ｒ２１＋Ｒ２２）／（Ｒ２１−Ｒ２２）＝1.53
【０１４４】
図６は、実施例３にかかるインナーフォーカス式レンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、Ｙで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は像高（図中、Ｙで示す）を表し、ｄ線（λ＝５８７．５６ｎｍ）に相当する波長の特性を示している。
【実施例４】
【０１４５】
図７は、実施例４にかかるインナーフォーカス式レンズの構成を示す光軸に沿う断面図である。図７は、無限遠物体合焦状態を示している。このインナーフォーカス式レンズは、図示しない物体側から順に、正の屈折力を有する第１レンズ群Ｇ41と、負の屈折力を有する第２レンズ群Ｇ42と、負の屈折力を有する第３レンズ群Ｇ43と、が配置されて構成される。第３レンズ群Ｇ43と結像面ＩＭＧとの間には、カバーガラスＣＧが配置されている。
【０１４６】
第１レンズ群Ｇ41は、物体側から順に、負メニスカスレンズＬ411と、負メニスカスレンズＬ412と、負レンズＬ413と、正レンズＬ414と、負レンズＬ415と、正レンズＬ416と、正レンズＬ417と、所定の口径を規定する開口絞りＳＴＰと、が配置されて構成される。負レンズＬ413の両面には、非球面が形成されている。負レンズＬ415と正レンズＬ416とは、接合されている。正レンズＬ417の両面には、非球面が形成されている。
【０１４７】
第２レンズ群Ｇ42は、負レンズＬ421により構成される。負レンズＬ421の両面には、非球面が形成されている。
【０１４８】
第３レンズ群Ｇ43は、物体側から順に、正の屈折力を有するフロントサブレンズ群Ｇ43Fと、負の屈折力を有するリアサブレンズ群Ｇ43Rと、が配置されて構成される。フロントサブレンズ群Ｇ43Fとリアサブレンズ群Ｇ43Rとの間には、第３レンズ群Ｇ43中で最も広い軸上空気間隔が形成されている。
【０１４９】
フロントサブレンズ群Ｇ43Fは、物体側から順に、正レンズＬ431と、正レンズＬ432と、が配置されて構成される。リアサブレンズ群Ｇ43Rは、負レンズＬ433により構成される。負レンズＬ433は、単一の硝材で形成されている。負レンズＬ433の両面には、非球面が形成されている。
【０１５０】
このインナーフォーカス式レンズでは、第１レンズ群Ｇ41および第３レンズ群Ｇ43を固定したまま、第１レンズ群Ｇ41と第２レンズ群Ｇ42との間隔が拡大し、第２レンズ群Ｇ42と第３レンズ群Ｇ43との間隔が縮小するように、第２レンズ群Ｇ42を光軸に沿って物体側から結像面ＩＭＧ側へ移動させることにより無限遠物体合焦状態から最至近距離物体合焦状態へ至るまでのフォーカシングを行う。
【０１５１】
以下、実施例４にかかるインナーフォーカス式レンズに関する各種数値データを示す。
【０１５２】
（レンズデータ）
ｒ1＝28.832
ｄ1＝2.0000    ｎｄ1＝1.5935    νｄ1＝67.00
ｒ2＝15.623
ｄ2＝6.8857
ｒ3＝29.397
ｄ3＝1.5000    ｎｄ2＝1.4970    νｄ2＝81.61
ｒ4＝13.122
ｄ4＝5.8831
ｒ5＝52.568（非球面）
ｄ5＝1.3000    ｎｄ3＝1.5920    νｄ3＝67.02
ｒ6＝12.910（非球面）
ｄ6＝3.0680
ｒ7＝30.333
ｄ7＝2.2648    ｎｄ4＝1.8810    νｄ4＝40.14
ｒ8＝141.737
ｄ8＝12.0987
ｒ9＝24.676
ｄ9＝1.0000    ｎｄ5＝1.8810    νｄ5＝40.14
ｒ10＝13.601
ｄ10＝5.2921    ｎｄ6＝1.4875    νｄ6＝70.44
ｒ11＝-35.502
ｄ11＝3.7248
ｒ12＝30.850（非球面）
ｄ12＝4.3865    ｎｄ7＝1.4971    νｄ7＝81.56
ｒ13＝-18.338（非球面）
ｄ13＝1.0000
ｒ14＝∞（開口絞り）
ｄ14＝D(14)（可変）
ｒ15＝45.781（非球面）
ｄ15＝0.8000    ｎｄ8＝1.7290    νｄ8＝54.04
ｒ16＝19.193（非球面）
ｄ16＝D(16)（可変）
ｒ17＝-68.737
ｄ17＝2.5350    ｎｄ9＝1.4970    νｄ9＝81.61
ｒ18＝-25.555
ｄ18＝0.1000
ｒ19＝-329.577
ｄ19＝4.0360    ｎｄ10＝1.4970    νｄ10＝81.61
ｒ20＝-23.042
ｄ20＝0.3290
ｒ21＝-400.000（非球面）
ｄ21＝1.2000    ｎｄ11＝1.8820    νｄ11＝37.22
ｒ22＝26.785（非球面）
ｄ22＝25.606
ｒ23＝∞
ｄ23＝2.5000    ｎｄ12＝1.5168    νｄ12＝64.20
ｒ24＝∞
ｄ24＝1.0000
ｒ25＝∞（結像面）
【０１５３】
円錐係数（ｋ）および非球面係数（Ａ4，Ａ6，Ａ8，Ａ10）
（第５面）
ｋ＝0，
Ａ4＝-2.6625×10-5，Ａ6＝3.0031×10-7，
Ａ8＝-1.7989×10-9，Ａ10＝5.7847×10-12
（第６面）
ｋ＝0，
Ａ4＝-6.8334×10-5，Ａ6＝8.4364×10-9，
Ａ8＝-1.2228×10-9，Ａ10＝-9.8374×10-12
（第１２面）
ｋ＝0，
Ａ4＝-2.2269×10-5，Ａ6＝1.1253×10-9，
Ａ8＝-1.0562×10-9，Ａ10＝-3.1969×10-12
（第１３面）
ｋ＝0，
Ａ4＝5.1791×10-5，Ａ6＝-5.2286×10-7，
Ａ8＝4.0083×10-9，Ａ10＝-2.3692×10-11
（第１５面）
ｋ＝0，
Ａ4＝2.0348×10-5，Ａ6＝-1.1141×10-6，
Ａ8＝1.4175×10-8，Ａ10＝-5.7786×10-11
（第１６面）
ｋ＝0，
Ａ4＝2.1580×10-5，Ａ6＝-8.9505×10-7，
Ａ8＝1.2780×10-8，Ａ10＝-5.7413×10-11
（第２１面）
ｋ＝0，
Ａ4＝-2.4151×10-5，Ａ6＝-1.3394×10-7，
Ａ8＝2.2182×10-9，Ａ10＝-7.5852×10-12
（第２２面）
ｋ＝0，
Ａ4＝-3.5206×10-6，Ａ6＝-1.2925×10-7，
Ａ8＝2.2655×10-9，Ａ10＝-8.5817×10-12
【０１５４】
（各合焦状態の数値データ）
無限遠      最至近距離（物体距離158.000mm）
D(14)                                 0.4719          1.3177
D(16)                                 5.8194          4.9736
ｆ（光学系全系の焦点距離）          18.54           17.89
ＦＮＯ（Ｆナンバー）                 2.88            2.93
ω（半画角）                        50.29           49.47
ｆ１（第１レンズ群Ｇ41の焦点距離）  10.28          10.28
ｆ２（第２レンズ群Ｇ42の焦点距離） -45.92         -45.92
ｆ３（第３レンズ群Ｇ43の焦点距離）-722.75        -722.75
ＢＦ（バックフォーカス）            29.106          29.106
【０１５５】
（条件式（１）に関する数値）
ｆ２／ｆ＝-2.48
【０１５６】
（条件式（２）に関する数値）
ｆ１／ｆ＝0.55
【０１５７】
（条件式（３）に関する数値）
βｉｎｆ（無限遠物体合焦状態における第２レンズ群Ｇ42の近軸倍率）＝1.83
βｍｏｄ（最至近距離物体合焦状態における第２レンズ群Ｇ42の近軸倍率）＝1.81
βｉｎｆ／βｍｏｄ＝1.01
【０１５８】
（条件式（４）に関する数値）
Ｒ１（負レンズＬ433の物体側空気境界面の曲率半径）＝-400.000
Ｒ２（負レンズＬ433の像側空気境界面の曲率半径）＝26.785
（Ｒ１＋Ｒ２）／（Ｒ１−Ｒ２）＝0.87
【０１５９】
（条件式（５）に関する数値）
Ｌ１ｓ（第１レンズ群Ｇ41の最物体側面から開口絞りＳＴＰまでの軸上距離）＝50.4037
Ｌ（第１レンズ群Ｇ41の最物体側のレンズ面頂点から結像面ＩＭＧまでの軸上距離（光学系全長））＝94.8010
Ｌ１ｓ／Ｌ＝0.53
【０１６０】
（条件式（６）に関する数値）
ｆ３／ｆ＝-38.97
【０１６１】
（条件式（７）に関する数値）
νｄｎ（負レンズＬ433のｄ線に対するアッベ数）＝37.22
【０１６２】
（条件式（８）に関する数値）
Ｒ２１（負レンズＬ421の最物体側面の曲率半径）＝45.781
Ｒ２２（負レンズＬ421の最像側面の曲率半径）＝19.193
（Ｒ２１＋Ｒ２２）／（Ｒ２１−Ｒ２２）＝2.44
【０１６３】
図８は、実施例４にかかるインナーフォーカス式レンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は像高（図中、Ｙで示す）を表し、ｄ線（λ＝５８７．５６ｎｍ）に相当する波長の特性を示している。なお、非点収差図において、実線はサジタル平面（図中、Ｓで示す）、破線はメリディオナル平面（図中、Ｍで示す）の特性を示している。歪曲収差図において、縦軸は像高（図中、Ｙで示す）を表し、ｄ線（λ＝５８７．５６ｎｍ）に相当する波長の特性を示している。
【０１６４】
なお、上記各実施例中の数値データにおいて、ｒ1，ｒ2，・・・・は各レンズ、絞り面などの曲率半径、ｄ1，ｄ2，・・・・は各レンズ、絞り面などの肉厚またはそれらの面間隔、ｎｄ1，ｎｄ2，・・・・は各レンズのｄ線（λ＝５８７．５６ｎｍ）に対する屈折率、νｄ1，νｄ2，・・・・は各レンズのｄ線（λ＝５８７．５６ｎｍ）に対するアッベ数を示している。また、ＢＦ（バックフォーカス）は、光学系の最終面から近軸像面までの距離を表したものである。光学系全長は最も物体側の面から最終レンズ面までの距離にＢＦを加えたものである。そして、長さの単位はすべて「ｍｍ」、角度の単位はすべて「°」である。
【０１６５】
また、上記各非球面形状は、非球面の深さをＺ、曲率をｃ（１／ｒ）、光軸からの高さをｈ、円錐係数をｋ、４次，６次，８次，１０次の非球面係数をそれぞれＡ4，Ａ6，Ａ8，Ａ10とし、光の進行方向を正とするとき、以下に示す式により表される。
【０１６６】
【数１】
0006587052.tif 000002
【０１６７】
上記各実施例には、３５ｍｍフィルムカメラ換算で広角の焦点距離をもつインナーフォーカス式レンズの一例を示した。上記各実施例のインナーフォーカス式レンズは、フォーカス群の小型、軽量化を図ることで、動画撮影に欠かせない高速なオートフォーカス処理を良好に行うことが可能になる。特に、上記各条件式を満足することで、動画撮影に好適な、小型、広角で高い結像性能を備えたインナーフォーカス式レンズを実現することができる。
【産業上の利用可能性】
【０１６８】
以上のように、本発明にかかるインナーフォーカス式レンズは、写真用カメラ、ビデオカメラなどの小型の撮像装置に有用であり、特に、動画撮影用の撮像装置に最適である。
【符号の説明】
【０１６９】
Ｇ11，Ｇ21，Ｇ31，Ｇ41  第１レンズ群
Ｇ12，Ｇ22，Ｇ32，Ｇ42  第２レンズ群
Ｇ13，Ｇ23，Ｇ33，Ｇ43  第３レンズ群
Ｇ13F，Ｇ23F，Ｇ33F，Ｇ43F  フロントサブレンズ群
Ｇ13R，Ｇ23R，Ｇ33R，Ｇ43R  リアサブレンズ群
Ｌ111，Ｌ112，Ｌ211，Ｌ212，Ｌ311，Ｌ312，Ｌ411，Ｌ412  負メニスカスレンズ
Ｌ113，Ｌ115，Ｌ121，Ｌ133，Ｌ213，Ｌ215，Ｌ221，Ｌ233，Ｌ313，Ｌ315，Ｌ321，Ｌ333，Ｌ413，Ｌ415，Ｌ421，Ｌ433  負レンズ
Ｌ114，Ｌ116，Ｌ117，Ｌ131，Ｌ132，Ｌ214，Ｌ216，Ｌ217，Ｌ231，Ｌ232，Ｌ314，Ｌ316，Ｌ317，Ｌ331，Ｌ332，Ｌ414，Ｌ416，Ｌ417，Ｌ431，Ｌ432  正レンズ
ＳＴＰ  開口絞り
ＩＭＧ  結像面
ＣＧ    カバーガラス
【図１】
0006587052.tif 000003
【図２】
0006587052.tif 000004
【図３】
0006587052.tif 000005
【図４】
0006587052.tif 000006
【図５】
0006587052.tif 000007
【図６】
0006587052.tif 000008
【図７】
0006587052.tif 000009
【図８】
0006587052.tif 000010